(57)【要約】【課題】人為的に水を供給する手間を実質的に要することなく湿り気を帯びた拭き部材で拭き掃除できる吸込み口体を提供する。【解決手段】少なくとも一部に高吸湿性繊維を含んで作られた拭き部材２７ｂ，３７が被清掃面Ｆと接するように吸込み口本体２１に設けられている。これにより、空気中の水分を吸収して湿り気を帯びた拭き部材２７ｂ，３７で被清掃面Ｆを拭き掃除できる。【選択図】    図２
2004147669.tif 000002
【特許請求の範囲】
【請求項１】
吸込み口本体と、少なくとも一部に高吸湿性繊維を含んで作られて被清掃面と接するように前記吸込み口本体に設けられた拭き部材と、を具備する吸込み口体。
【請求項２】
請求項１に記載の吸込み口体において、回転軸の外周に前記拭き部材を設けて形成された回転清掃体が前記吸込み口本体に回転可能に取付けられている。
【請求項３】
請求項１又は２に記載の吸込み口体において、回転軸の外周に清掃部材を設けて形成された回転清掃体が前記吸込み口本体に回転可能に取付けられているとともに、ローラの外周に前記拭き部材を設けて形成された回転拭き取り体が前記拭き部材を前記清掃部材に接するように前記吸込み口本体に設けられている。
【請求項４】
請求項１〜３の内のいずれか１項に記載の吸込み口体において、前記吸込み口本体の下方に開放する吸込み開口より前側に前取り用の吸塵開口が開けられており、これら吸込み開口と吸塵開口との間に前記拭き部材を配置するとともに、この拭き部材の上方に前記吸塵開口を通った空気をこの空気と前記吸込み開口を通った空気との合流空間に導く風路を前記吸込み口本体が有している。
【請求項５】
掃除機本体内の電動送風機の動作により、前記掃除機本体の集塵室に連通された吸込み口体から被清掃面の塵を空気とともに吸込んで、この吸込んだ塵を前記集塵室内に捕捉する電気掃除機において、前記吸込み口体に請求項１〜４の内のいずれか１項に記載の吸込み口体を用いた電気掃除機。
【発明の詳細な説明】
【０００１】
【発明の属する技術分野】
本発明は、被清掃面上の塵を取り込む吸込み口体、及び、この吸込み口体を備えた電気掃除機に関する。
【０００２】
【従来の技術】
電気掃除機に具備される吸込み口体には、被清掃面と接するように起毛布を取付けたものがある。この吸込み口体は、吸込み口本体を前後方向に摺動させることで、被清掃面上の塵を吸込み開口を介して本体内空間に取り込むとともに、被清掃面を起毛布により拭き掃除することができるように構成されている。
【０００３】
この種の吸込み口体としては、従来、起毛布を巻きつけた円筒ローラと、この円筒ローラの両端部に一体化されて吸込具本体に回転自在に直接支持される支持部とから構成した起毛布ローラ体を備えた吸込具が知られている。この吸込具では、起毛布ローラ体の起毛布により被清掃面を拭き掃除できる。
【０００４】
また、この吸込み具は、円筒ローラをセラミック等の多孔質で形成し、この円筒ローラの内部に水を収容することで、円筒ローラの外表面に水が滲むように構成することが可能である。このように構成することにより、円筒ローラに巻きつけられた起毛布に水が供給されるので、この水が供給されて湿った起毛布により被清掃面を拭き掃除できる（例えば、特許文献１参照）。
【０００５】
【特許文献１】
特開２０００−９３３６５号公報（第２−６頁、図１）
【０００６】
【発明が解決しようとする課題】
しかし、特許文献１に記載の吸込具では、起毛布を湿らせるために吸込具本体から円筒ローラを着脱してこのローラ内に水を補給しなくてはならないため面倒である。
【０００７】
本発明が解決しようとする課題は、人為的に水を供給する手間を実質的に要することなく湿り気を帯びた拭き部材で拭き掃除できる吸込み口体、及び、この吸込み口体を備えた電気掃除機を得ることにある。
【０００８】
【課題を解決するための手段】
前記課題を解決するために、本発明の吸込み口体は、少なくとも一部に高吸湿性繊維を含んで作られた拭き部材を被清掃面と接するように吸込み口本体に設けている。
【０００９】
この吸込み口体によれば、吸込み口本体に被清掃面と接するように設けられた高吸湿性を有する拭き部材が空気中の水分を吸収して湿り気を帯びるため、この湿り気を帯びた拭き部材で被清掃面を拭き掃除できる。
【００１０】
【発明の実施の形態】
以下、図１〜図３を参照して本発明の第１の実施形態を説明する。
【００１１】
図１に例示するキャニスタ型の電気掃除機１は、掃除機本体２と、これに内蔵された電動送風機３と、床面等の被清掃面Ｆから吸込んだ空気を掃除機本体２内に導く気流ガイド手段７と、吸込み口体２０とを具備している。
【００１２】
移動車輪６が取付けられている掃除機本体２は、例えば集塵室からなる集塵部４と、この集塵部４に対する空気の流れ方向の上流側に位置する吸込み口５とを有している。掃除機本体２内には、集塵部４に対する空気の流れ方向の下流側、例えば掃除機本体２の後部に位置して電動送風機３が配置されている。
【００１３】
気流ガイド手段７は、例えば可撓性の吸塵ホース８と、例えば伸縮式で硬質な延長管１０とを備えている。吸塵ホース８の一端部８ａは吸込み口５に着脱可能に挿し込み接続される。吸塵ホース８の他端部８ｂは手元操作部９で形成されている。手元操作部９が有するハンドル９ａには各種の操作スイッチ９ｂが取付けられている。延長管１０の一端部１０ａは手元操作部９の先端嵌合筒部に着脱可能に接続される。延長管１０の他端部１０ｂ又は手元操作部９の先端嵌合筒部には、吸込み口体２０が選択的に着脱可能に接続される。
【００１４】
電気掃除機１の電動送風機３を駆動させることにより、この電動送風機３に吸込まれる気流が形成される。それによって、吸込み口体２０から床面等の被清掃面Ｆの塵を空気とともに吸込んで、それを、延長管１０及び吸塵ホース８のうちの少なくとも吸塵ホース８を経由させて掃除機本体２の集塵部４に導き、この集塵部４内に着脱可能に収容された集塵袋等のフィルタ４ａで前記塵を捕捉できる。なお、集塵部４は、掃除機本体２に着脱されて、その装着状態でサイクロン式の集塵ができる集塵カップで形成することもできる。集塵部４のフィルタ４ａを通過した空気は、電動送風機３に吸込まれてこの電動送風機３から排出された後、掃除機本体２に設けた排気口（図示せず）を通して掃除機本体２の外部に排出される。以上により被清掃面Ｆを掃除できる。
【００１５】
次に、図２及び図３を参照して吸込み口体２０について説明する。この吸込み口体２０は、吸込み口本体２１、管継手２３、接続管２４、回転清掃体２５ａ、及び拭き取り体、好ましい例として回転拭き取り体２７等を備えている。
【００１６】
吸込み口本体２１は、上ケース３０と、下ケース３１と、板状の中仕切り３２とを含んでいる。上下両ケース３０，３１は互いに連結され、中仕切り３２は上下両ケース３０，３１間に配置されている。下ケース３１には、下方に開放する吸込み開口３５が開けられているとともに、この吸込み開口３５よりも前側、例えば下ケース３１の前端部に前取り用の吸塵開口３６が開けられている。吸込み開口３５と吸塵開口３６とは連続しており、吸込み口本体２１の幅方向に延びている。なお、吸込み開口３５と吸塵開口３６とは非連続であってもよい。
【００１７】
中仕切り３２より後側に位置して上下両ケース３０，３１間には、回転リング２２が取付けられている。この回転リング２２は水平軸周りに回転可能である。回転リング２２の後部には、管継手２３が取付けられ、この管継手２３には回転リング２２に対してその後側から連通する接続管２４が取付けられている。接続管２４は管継手２３側の一端部を中心として上下方向に起倒可能に設けられている。この接続管２４の起倒と回転リング２２の水平軸周りの回転との組み合わせによって、吸込み口本体２１に対する接続管２４の位置の自由度を得ている。
【００１８】
なお、図２及び図３中符号３８は、管継手２３に接続された固定ガイド、符号３９は、管継手２３の起倒に連動して固定ガイド上を摺動する可動ガイドを夫々示している。両ガイド３８，３９により、接続管２４が起こされた際に、回転リング２２と接続管２４との間の気密が確保されるようになっている。接続管２４の他端部は延長管１０または吸塵ホース８に着脱可能に嵌合して接続される。
【００１９】
吸込み口本体２１には、中仕切り３２とこれを下から支持する下ケース３１とにより、前側に位置して回転拭き取り体２７を収容する第１収容室４０、及び後側に位置して回転清掃体２５ａを収容する第２収容室４１が形成されている。
【００２０】
第１収容室４０は拭き取り体２７が収容可能な大きさに設定されている。第１収容室４０の内部にはその両端部に位置して拭き取り体２７の後述するローラ２７ａの軸部２８を軸支する拭き取り体支持部４９が形成されている。第２収容室４１は回転清掃体２５ａが収容可能な大きさに設定されている。第２収容部４１の内部にはその両端部に位置して回転清掃体２５ａの後述する回転軸２６ａの両端部を軸支する清掃体支持部４８ａが形成されている。これら第１収容室４０及び第２収容室４１の下端は夫々吸込み開口３５によって開放されている。
【００２１】
回転清掃体２５ａは、図３に示すように、吸込み開口３５の長手方向（図２を描いた紙面の表裏方向、図３を描いた紙面の左右方向）に延びている。この回転清掃体２５ａは、回転軸２６ａ及びこの回転軸２６ａの外周に設けられた清掃部材２６ｂを有している。回転清掃体２５ａとしては、例えば、清掃部材２６ｂとしてのブラシ毛が回転軸２６ａを中心として放射状に密に配置される清掃体や、清掃部材２６ｂとしての１枚あるいは複数枚の軟質素材からなる羽根が回転軸２６ａを中心として例えば螺旋状或いは放射状等に配置される清掃体等を用いることができる。
【００２２】
この回転清掃体２５ａは、回転軸２６ａの両端部を清掃体支持部４８ａに軸支させることで、清掃部材２６ｂが回転清掃体２５ａの下端部に移動された際に吸込み開口３５を通して被清掃面Ｆに接するように第２収容室４１に収容されている。そして、例えば吸込み口本体２１に組み込まれた図示しないモータを駆動源として回転されるようになっている。
【００２３】
回転拭き取り体２７は、図３に示すように、吸込み開口３５の長手方向（図２を描いた紙面の表裏方向、図３を描いた紙面の左右方向）に延びている。回転拭き取り体２７は、ローラ２７ａ及びこのローラ２７ａの外周に巻きつけられた高吸湿性を有する拭き部材２７ｂを有している。ローラ２７ａは、例えば細長円筒形状に形成されており、その両端部に軸部２８が設けられている。
【００２４】
拭き部材２７ｂとしては、高吸湿性繊維、例えば、東洋紡績株式会社製のモイスファイン（登録商標）を好適に用いることができる。この拭き部材２７ｂは、アクリレート系繊維であり、既存の羊毛の３倍、綿の５倍以上の吸湿性能を有しているとともに高い放湿性を有している。また、この拭き部材２７ｂは、アンモニア、アミン等の塩基性の悪臭する防臭性、抗菌性、及び防カビ性を有している。この拭き部材２７ｂは、モイスファイン単独でも、又はこれを一部に含んで天然繊維や合成繊維と混ぜて作ることも可能である。
【００２５】
この回転拭き取り体２７は、ローラ２７ａの軸部２８の両端部を拭き取り体支持部４９に軸支させることで、拭き部材２７ｂが清掃部材２６ｂと接するように回転自在に第２収容室４１に収容されている。これにより、拭き部材２７ｂは、吸込み開口３５と吸塵開口３６との間に配置されることとなる。
【００２６】
また、回転拭き取り体２７は、前進又は後退のうちのどちらか一方の時に回転するようにしてもよい。これは、例えば、中仕切り３２にストッパ５３を設けることで実施できる。すなわち、図２に示すように、硬いブラシ毛等からなるストッパ５３を第１収容部４０の後側に寄せて中仕切り３２の下面から前側に向かって斜め下向きに伸びるように設ける。このとき、ストッパ５３のブラシ毛の長さは、その先端部が拭き部材２７ｂと接する程度の長さに設定する。
【００２７】
このようにすることにより、吸込み口本体２１が前進するときには、ストッパ５３と拭き部材２７ｂとの間の抵抗が小さいので、回転拭き取り体２７は被清掃面Ｆと拭き部材２７ｂとの間の抵抗によって連れ回りしながら、拭き部材２７ｂにより被清掃面Ｆが拭き掃除される。
【００２８】
また、吸込み口本体２１が後退するときには、ストッパ５３により、被清掃面Ｆと拭き部材２７ｂとの間の抵抗による連れ回りが抑制されるので、回転拭き取り体２７は被清掃面Ｆ上を摺動して、拭き部材２７ｂにより被清掃面Ｆが拭き掃除される。
【００２９】
このストッパ５３は、第１収容部４０の前側に寄せて中仕切り３２の下面から後側に向かって斜め下向きに伸びるように設けることで、吸込み口本体２１が後退するときにのみ回転させるようにすることができる。なお、回転拭き取り体２７は所定の角度範囲内で回動するように設けてもよい。
【００３０】
図２及び図３中符号５１はバンパー、符号５２は車輪を示している。図３中符号３７は、吸込み開口３５の両端部に貼り付けられた少なくとも一部に高吸湿性繊維を含んで作られる繊維からなる一対の固定拭き部材を示している。これらシート状の固定拭き部材３７としては、高吸湿性繊維、例えば上述したモイスファインを用いることができる。なお、固定拭き部材３７は高吸湿性繊維で形成しなくともよく、例えば起毛布等を用いてもよい。図３では、高吸湿性繊維が装着されている領域に点模様を付して示している。
【００３１】
中仕切り３２と上ケース３０との間には本体内空間４３と風路６０とが形成されている。本体内空間４３は、上方から第１収容室４０及び第２収容室４１を覆うように形成されている。この本体空間部４３は風路６０により吸塵開口３６と連通されている。したがって、吸塵開口３６を通った空気は風路６０により本体空間部４３に導かれることとなり、本体空間部４３は吸込み開口３５を通った空気と吸塵開口３６を通った空気との合流空間となる。
【００３２】
また、吸塵開口３６は、中仕切り３２の前端部と下ケース３１との間の隙間により形成された第１塵通過部４４を通して第１収容室４０と連通している。第１収容室４０は中仕切り３２の中間部と下ケース３１との間の隙間により形成された第２塵通過部４５を通して第２収容室４１と連通している。第２収容室４１は中仕切り３２の後端部と下ケース３１との間の隙間により形成された第３塵通過部４６を通して本体内空間４３と連通されている。本体内空間４３は管継手２３に前側から連通されている。
【００３３】
以上のように構成された吸込み口体２０を備えた電気掃除機１では、吸込み開口３５が開けられた下ケース３１を被清掃面Ｆに対向させながら吸込み口本体２１を下方に移動させると、回転清掃体２５ａの清掃部材２６ｂ、回転拭き取り体２７の拭き部材２７ｂ、固定拭き部材３７、及び車輪５２等が被清掃面Ｆに接触する。
【００３４】
この状態で、電動送風機３を駆動させ、吸込み口体２０を前後方向に摺動させると、吸込み開口３５を通って第２収容室４１に取り込まれた被清掃面Ｆ上の塵は、第３塵通過部４６を通って本体内空間４３に流入する。また、吸込み開口３５を通って第１収容室４０に取り込まれた被清掃面Ｆ上の塵は、第２塵通過部４５、第２収容室４１、及び第３塵通過部４６を通って本体内空間４３に流入する。
【００３５】
さらに、吸込み口本体２１の前端壁には吸塵開口３６が開けられているので、吸込み口本体２１を前進させた時、吸込み口本体２１の前方の被清掃面Ｆ上の塵を吸込み口本体２１により前方に押し動かされることなく吸塵開口３６から取り込まれる。吸塵開口３６から取り込まれた塵は、第１塵通過部４４、第１収容室４０、第２塵通過部４５、第２収容室４１、及び第３塵通過部４６を通って本体内空間４３に流入する。
【００３６】
このように、吸込み開口３５及び吸塵開口３６を通った空気は本体内空間４３で合流し、この空間部４３から管継手２３を通って接続管２４を流通して気流ガイド手段７に吸込まれる。
【００３７】
また、拭き部材２７ｂ，３７は、空気中の水分を吸収して湿り気を帯びているため、吸込み口体２０を前後方向に摺動させることにより、これら湿り気を帯びた拭き部材２７ｂ，３７で被清掃面Ｆが拭き掃除される。
【００３８】
回転清掃体２５ａは、電動送風機４の駆動中に手元操作部９ｂを操作することで適宜動作させることができる。回転清掃体２５ａを動作させることにより、被清掃面Ｆ上の塵を掻き上げるとともに、拭き部材２７ｂに付着した埃等を掻き取る。
【００３９】
以上のように、本実施形態の吸込み口体２０によれば、吸込み口本体２１に被清掃面Ｆと接するように設けられた少なくとも一部に高吸湿性繊維を含んで作られる拭き部材２７ｂ及び固定拭き部材３７が空気中の水分を吸収して湿り気を帯びるため、人為的に水を供給する手間を実質的に要することなく湿り気を帯びた拭き部材２７ｂ、３７で被清掃面Ｆを拭き掃除できる。これにより、フローリング床上の綿埃を有効に拭き取ることができる。
【００４０】
また、この吸込み口体２０によれば、回転軸２６ａの外周に清掃部材２６ｂを設けて形成した回転清掃体２５ａを吸込み口本体２１に回転可能に取付けるとともに、ローラ２７ａの外周に拭き部材２７ｂを設けて形成した回転拭き取り体２７を、その拭き部材２７ｂに清掃部材２６ｂが接するように設けている。このため、回転清掃体２５ａの清掃部材２６ｂで被清掃面上Ｆの塵を掻き上げて吸い込むことができるとともに、拭き部材２７ｂに付着した埃等を清掃部材２６ｂで掻き取って、被清掃面Ｆ上の塵と一緒に吸込むことができる。これにより、拭き部材２７ｂでの拭き取り性能を持続できる。
【００４１】
さらに、吸込み口本体２１の下方に開放する吸込み開口３５より前側に前取り用の吸込み開口３５が開けられている。そして、これら吸込み開口３５と吸塵開口３６との間に拭き部材２７ｂを配置するとともに、この拭き部材２７ｂの上方に吸塵開口３６を通った空気をこの空気と吸込み開口３５を通った空気との合流空間である本体内空間４３に導く風路６０を吸込み口本体２１が有しているので、吸込み口本体２１を前進させた時、吸込み口本体２１の前方の被清掃面Ｆ上の塵を吸込み口本体２１により前方に押し動かすことなく吸塵開口３６から取り込むことができる。
【００４２】
なお、第１の実施形態では、拭き部材２７ｂが清掃部材２６ｂと接するように回転拭き取り体２７を配置したが、拭き部材２７ｂと清掃部材２６ｂとは接していなくともよい。さらに、回転拭き取り体２７を回転清掃体２５ａの前側となるように配置されるようにしたが、回転拭き取り体２７は回転清掃体２５ａの後側となるように配置してもよく、回転清掃体２５ａの前側と後側との両方に配置してもよい。また、回転清掃体２５ａは省略してもよい。
【００４３】
以下、図４及び図５を参照して本発明の第２の実施形態を説明する。この実施形態は基本的には第１実施形態と同様な構成であるので、同一ないし同様な構成については第１の実施形態と同符号を付して、その構成及び作用の説明を省略し、以下、異なる部分について説明する。
【００４４】
この実施形態では、回転清掃体２５ｂが設けられ、回転清掃体２５ａ、回転拭き取り体２７、及びストッパ５３が省略されている。なお、回転拭き取り体２７は設けてもよい。
【００４５】
回転清掃体２５ｂは、図５に示すように、吸込み開口３５の長手方向（図４を描いた紙面の表裏方向、図５を描いた紙面の左右方向）に延びている。この回転清掃体２５ｂは、回転軸２９ａの外周に少なくとも一部に高吸湿性繊維を含んで作られる繊維からなる拭き部材２９ｂを設けて形成されている。この拭き部材２９ｂは、例えば、上述したモイスファイン或いはこれを一部に含んで天然繊維や合成繊維と混紡して形成した繊維等を好適に用いることができる。この拭き部材２９ｂは、例えば、複数枚の羽根状に形成されて、回転軸２９ａを中心として例えば螺旋状或いは放射状等に設けられている。なお、拭き部材２９ｂは回転軸２９ａの周囲に巻きつける等して設けてもよい。
【００４６】
また、中仕切り３２とこれを下から支持する下ケース３１とにより収容室４２が１つ形成されている。収容室４２は回転清掃体２５ｂが収容可能な大きさに設定されている。収容部４２の内部にはその両端部に位置して回転清掃体２５ｂの回転軸２９ａの両端部を軸支する清掃体支持部４８ｂが形成されている。収容室４２の下端は吸込み開口３５によって開放されている。
【００４７】
吸塵開口３６は、中仕切り３２の前端部と下ケース３１との間の隙間により形成された第１塵通過部４４を通して収容室４２と連通しており、この収容室４２は中仕切り３２の後端部と下ケース３１との間の隙間により形成された第３塵通過部４６を通して本体内空間４３と連通されている。本体内空間４３は回転リング２２に前側から連通されている。
【００４８】
回転清掃体２５ｂは、回転軸２９ａの外周に拭き部材２９ｂを設けて形成されている。この回転清掃体２５ｂは、回転軸２９ａの両端部を清掃体支持部４８ａに枢支させることで、収容室４２に回転可能に設けられている。そして、例えば吸込み口本体２１に組み込まれた図示しないモータを駆動源として回転駆動されるようになっている。なお、以上説明した構成以外は、図４及び図５に示されない構成も含めて第１実施形態と同一ないし同様である。
【００４９】
以上のように、高吸湿性を有する拭き部材２９ｂは、回転清掃体２５ｂに設けてもよく、このようにすることにより、回転清掃体２５ｂの湿り気を帯びた拭き部材２９ｂにより被清掃面を拭き掃除できる。
【００５０】
なお、上記第１及び第２の実施形態の吸込み口体２０が備える拭き部材２７ｂ，２９ｂ，３７は、これらを吸込み口本体２１から取外すことなく給水できるように、必要に応じて外側から僅かな給水を行って補助的に湿らせるようにしてもよい。その場合、例えば、拭き部材２７ｂ，２９ｂ，３７の外部から水を供給する給水タンク等を吸込み口本体２１に設けることで好適に実施できる。
【００５１】
また、第１及び第２の実施形態の吸込み口体２０は、回転清掃体２５ａ，２５ｂをモータで回転駆動させているが、モータを省略して電動送風機３により形成される気流で回転駆動させるように構成してもよい。
【００５２】
さらに、第１及び第２の実施形態では、吸込み口本体２１の下部に吸込み開口３５を設けるとともに前端部に吸塵開口３６を設け、本体内空間４３で吸込み開口３５及び吸塵開口３６を通った空気を合流させるようにしているが、吸込み口本体２１の下部に本体内空間４３と連通する吸込み開口３５が設けられていれば、吸塵開口３６はなくともよい。
【００５３】
この発明の吸込み口体は、キャニスタ型の電気掃除機だけでなく、例えばスティック型等の種々の電気掃除機に取付けて使用することができる。
【００５４】
【発明の効果】
本発明によれば、湿り気を帯びた拭き部材で拭き掃除できる吸込み口体、及び、この吸込み口体を備えた電気掃除機が得られる。
【図面の簡単な説明】
【図１】本発明の第１の実施形態に係る電気掃除機を示す斜視図。
【図２】図１の電気掃除機が備える吸込み口体の断面図。
【図３】図１の電気掃除機が備える吸込み口体の下面図。
【図４】本発明の第２の実施形態に係る電気掃除機が備える吸込み口体の断面図。
【図５】図４の吸込み口体の下面図。
【符号の説明】
１…電気掃除機
２…掃除機本体
３…電動送風機
２０…吸込み口体
２１…吸込み口本体
２５ａ，２５ｂ…回転清掃体
２６ａ…回転軸
２６ｂ…清掃部材
２６ｃ…拭き部材
２７…拭き取り体
２７ａ…ローラ
２７ｂ，２９ｂ，３７…拭き部材
３５…吸込み開口
３６…吸塵開口
４３…本体内空間（合流空間）
６０…風路
Ｆ…被清掃面
【図１】
2004147669.tif 000003
【図２】
2004147669.tif 000004
【図３】
2004147669.tif 000005
【図４】
2004147669.tif 000006
【図５】
2004147669.tif 000007